(57)【要約】出発液体を提供する段階と、液体を意図していない波動及び電磁波源から遮断する段階と、所望の表面張力及びゼータポテンシャルが得られるまで液体を機械的にボルテックスする段階と、所望の波動及び電磁波源を用いて液体をエンコードする段階と、液体をボトリングする段階とを備えた、エンコードマイクロクラスター液体の製造方法。
2008519689.tif 000002
【特許請求の範囲】
【請求項１】
出発液体を提供する段階と、
前記液体を意図していない波動及び電磁波源から遮断する段階と、
所望の表面張力及びゼータポテンシャルが得られるまで、前記液体を機械的にボルテックスする段階と、
所望の波動及び電磁波源を用いて前記液体をエンコードする段階と、
前記液体をボトリングする段階とを備えた
エンコードマイクロクラスター液体の製造方法。
【請求項２】
前記出発液体は蒸留水である請求項１に記載の方法。
【請求項３】
前記出発液体は、全溶存固形分が３０ｐｐｍ未満の低ミネラル／微粒子含有水である請求項１に記載の方法。
【請求項４】
前記出発水は、全溶存固形分が３０ｐｐｍ未満の低ミネラル／微粒子含有水である請求項１に記載の方法。
【請求項５】
前記液体に所望の添加物を加える段階を更に備えた請求項１に記載の方法。
【請求項６】
電磁場が制御された製造施設によって、前記液体を前記意図していない波動及び電磁波源から遮断する請求項１に記載の方法。
【請求項７】
遮断物質によって、前記液体を前記意図していない波動及び電磁波源から遮断する請求項１に記載の方法。
【請求項８】
前記遮断物質はフレクトロンである請求項７に記載の方法。
【請求項９】
前記遮断物質はニューメタルである請求項７に記載の方法。
【請求項１０】
前記所望の表面張力は６９ダイン以下である請求項１に記載の方法。
【請求項１１】
前記所望のゼータポテンシャルは−３３３ｍＶ以下である請求項１に記載の方法。
【請求項１２】
前記液体をエンコードする段階は、前記液体を前記所望の波動または電磁波源の或る空間的な近さ内に配置する段階を有する請求項１に記載の方法。
【請求項１３】
前記空間的な近さは１７０．１９７５フィート以下である請求項１２に記載の方法。
【請求項１４】
液体をボルテックスするように設計されている内径の減少部を備えた
底と注ぎ口を有する手動攪拌ボルテックス誘起ボトル。
【請求項１５】
前記内径の減少部は、前記ボトルを手動で攪拌することによって前記液体をボルテックスするように設計されている請求項１４に記載のボルテックス誘起ボトル。
【請求項１６】
第一方向に二回、前記第一方向と反対の第二方向に一回回転させることによって手動で攪拌される請求項１５に記載のボルテックス誘起ボトル。
【請求項１７】
特定周波数のエンコード源を更に備えた請求項１４に記載のボルテックス誘起ボトル。
【請求項１８】
前記エンコード源は前記ボトル自体の一部である請求項１７に記載のボルテックス誘起ボトル。
【請求項１９】
前記エンコード源はボトルのラベルの物質内に含まれている請求項１７に記載のボルテックス誘起ボトル。
【請求項２０】
液体をボルテックスするように設計されている注ぎ口の減少部を備えた
底と注ぎ口を有する手動攪拌ボルテックス誘起ボトル。
【請求項２１】
前記注ぎ口の減少部は、前記ボトルを手動で攪拌することによって前記液体をボルテックスするように設計されている請求項２０に記載のボルテックス誘起ボトル。
【請求項２２】
第一方向に二回、前記第一方向と反対の第二方向に一回回転させることによって手動で攪拌される請求項２１に記載のボルテックス誘起ボトル。
【請求項２３】
前記液体が前記注ぎ口の減少部を介することによって前記液体がボルテックスされるように設計されている請求項２０に記載のボルテックス誘起ボトル。
【請求項２４】
特定周波数のエンコード源を更に備えた請求項２０に記載のボルテックス誘起ボトル。
【請求項２５】
前記エンコード源は前記ボトル自体の一部である請求項２０に記載のボルテックス誘起ボトル。
【請求項２６】
前記エンコード源はボトルのラベルの物質内に含まれている請求項１８に記載のボルテックス誘起ボトル。
【発明の詳細な説明】
【技術分野】
【０００１】
本発明は、マイクロクラスター液体に係り、特にマイクロクラスター液体へと波動及び電磁波共鳴の計画的な授与、及び、外部からの波動または電磁波共鳴からの液体の計画的な遮断に関する。これに加えて、本発明はエンコードマイクロクラスター液体の製造及び処理に係り、多様な応用において有益な特性を有するように設計され構造化された広範な液体が製造される。
【背景技術】
【０００２】
自然は、全ての水に対するサイクルを、その吸湿性の永久サイクルを維持することによって、また例えば氷河や山々をなだれ落ちることや、河川を流れることや、帯水層の地中深くに浸み込んで打ち寄せること等の永久運動によって、常に構造化して、エンコードして、繰り返してきた。強烈な音、光、渦状にまたは動力学的に発生させた波動または電磁エネルギー場は、水を活性化して、水をより小さな分子クラスターへと構造化する。この小さな分子クラスターは、自然な原因またはそうではない原因によって水が不活性にされるまでの間に維持される高周波数で、共鳴する。
【０００３】
全体として、水は、水が蒸発されるか凝縮されて、影響を受けやすい空白状態としてそのサイクルを再び開始するまでの間に接触するか近接する全ての物質の周波数のインプリントの永久に成長する“記憶”を、拾い集める。残念なことに、我々の現在の環境状況においては、化学的及び電磁的な汚染と負の低波動周波数とが溢れていて、水本来のプロセスが妨害されて、自然の源でありマイクロクラスター化された高波動共鳴の水へのアクセスが驚くほど限られている。
【０００４】
水の化学式は長い間Ｈ２Ｏであるとされてきた。本願においてその全文が参照されるＬｏｒｅｎｚｅｎの特許文献１によると、水は、互いに結合してクラスターを形成するＨ２Ｏ分子から成り、次の五つの異なる構造的な違いによって特徴付けられると教示されている。即ち、非結合状態、準四面体な配置の五つのＨ２Ｏ分子から成る四面体の水素結合分子、１、２または３本の水素結合によってクラスターに接続された表面接続分子である。更にＬｏｒｅｎｚｅｎによると、非特許文献１を引用して、溶存固形分の存在によって、液体の水の構造及び性質が変化すると教示されている。
【０００５】
本願においてその全文が参照されるＨｏｌｌｏｗａｙ外の特許文献２によると、こうした水のマイクロクラスターは、結晶の幾何学構造及び非幾何学構造が異なるより大きなアレイを形成することができると教示されている。このアレイは、マイクロクラスター分子の量が異なり、弱くて長距離のファンデルワールス引力によって互いに保持されていて、以下の力の一つ以上によってその構造が決定される。即ち、（１）双極子‐双極子相互作用、つまり永久双極子モーメントを有する二つの分子間の静電引力、（２）双極子‐誘導双極子相互作用（一つの分子の双極子は近接分子を分極させる）、（３）原子内の小さくて瞬間的な双極子によって生じる分散力である。
【０００６】
通常、四面体のマイクロクラスターは不安定で、攪拌からより大きなアレイへと再形成されるが、これには、ファンデルワールス斥力を圧倒するロンドン力が伴う。二つの水分子が互いに近づく時に、この二つの分子の相対的な位置及び運動によって、分散力が生じ、結果として、原子内部の分子軌道の配置の個々のエンベロープに歪みが生じる。それぞれの分子はこの歪みに抵抗して、結果として、ロンドン誘導力が有効になる点の近くに達するまで、継続する歪みに対向する力が増大する。分子の速度が、ファンデルワールス半径に等しい距離まで分子同士が近づくのに十分な速度であれば、水分子は結合する。
【０００７】
液体の大きな分子アレイを分裂させる処理は多くのものが現在認識されていて、ＬｏｒｅｎｚｅｎやＨｏｌｌｏｗａｙによるものが含まれる。
【０００８】
通常の消費、医薬、農業、化学プロセスにおける水のより小さな分子構造（例えばマイクロクラスター）の使用が利点を有することは、多くの理由からわかっていて、その理由として挙げられるのは、（１）増強及び改良された細胞のやりとりにおける、栄養が入って老廃物が出ていく細胞内の加速された輸送（これは一部には、“アクアポリン”と呼ばれる細胞膜のタンパク質チャネルに対して、直径３〜６オングストロームの水分子（大抵の純水または水道水は直径が２０〜３０オングストローム）の一列の流れのみが許容されることによる）；（２）薬剤が入って薬の代謝物が出ていく細胞内の加速された輸送（これもまた、一部には、“アクアポリン”と呼ばれる細胞膜のタンパク質チャネルに対して、直径３〜６オングストロームの水分子（大抵の純水または水道水は直径が２０〜３０オングストローム）の一列の流れのみが許容されることによる）；（３）抗酸化作用を増強するゼータポテンシャルの高い水の体積に水分子が等しくなることによる血液／体液の増強された循環。そして、動植物で消費されると、血液または体液のプラズマ（漿）の増大した負の電荷によって、細胞の手入れが増強及び維持される；（４）上述の細胞内のやりとりの効率の増大によって促進される植物の短期栽培；（５）小さな水分子の表面積の増大による高速化された化学的抽出及び溶解である。
【０００９】
上述のような水の自然科学的な説明は、水特有の物理的な結合及びクラスター化の性質を理解することを容易にし、また、マイクロクラスター構造の水を用いることの有益性についての一部を理解することも容易にする。しかしながら、マイクロクラスター水の性質に更に作用する性質の一部を担う水の波動及び電磁波周波数の記憶及び共鳴を理解するのに、これが一番役に立つ訳ではない。
【００１０】
今では、水は、その自然な励起状態において、特に永久運動の間に接触するか近接する全ての物質の周波数を“記憶”するほぼ無限の可能性を有するということが理解されている。このように、水は、それを摂取する全ての生物内にこの“記憶”を伝え、生物内に既に存在する血漿や樹液等の水分とのやりとりを介して、“ホメオパシー（同種療法）”（下記で説明する）的に生物に影響を与える。水のこの量子特性の科学的立証及び説明は、ライナス・ポーリング（Ｌｉｎｕｓ  Ｐｕｌｉｎｇ）博士によって、初めて立証され、水のクラスターに影響を与える結合と同じである共有結合において、水は、過去のサイクルからの“記憶”を有さない吸湿性サイクルまたは蒸留において、蒸気から凝縮された後に接触する全ての物質の周波数の“インプリント”の記憶を保持していることが立証された。
【００１１】
ポーリング博士の仕事を補足する研究が、フランスのＪａｃｑｕｅｓ  Ｂｅｎｖｉｓｔｅ博士、フィラデルフィアのテンプル大学のＷｏｌｆｇａｎｇ  Ｌｕｄｗｉｇ博士、ミラノのＣｏｏｐｅｒａｔｉｖｅ  ＮｕｏｖａのＥｎｚｏ  Ｃｉｃｃｏｌｏ博士、ドイツのフィーバーブルンのＣｉｖｉｌ  Ｅｎｖｉｒｏｎｍｅｎｔａｌ  Ｌａｂｏｒａｔｏｒｙ所長のＨｏｒｓｔ  Ｆｅｌｓｃｈ博士、Ｅｎｇｌｅｒ博士、Ｋｏｋｏｓｃｈｉｎｅｇｇ博士といった科学者達によってなされてきた。彼等は、様々な協調的で同一の追試を実施して、以下の科学的に裏付けされた結論に達した。
（１）全ての原子、分子、物質は、電磁波の波長として測定可能な固有の振動パターンまたは波動を有する。
（２）水は情報のキャリアである。溶媒として最も良く知られた波動の伝導体であり、直接接触せずに情報を伝えることが可能である。
（３）水は、長期間に及ぶ所定の波動から水に印加される情報を蓄える能力を保有し、このことは水内部に見つけられる特定の電磁波の波長によって測定可能である。従って、物理的または化学的に有害な物質が除去された後でも、その振動する波動パターン、つまり“インプリント”は残存したままであり、元の物質へと正確に辿ることが可能である。
（４）水は、こうした波動パターン、つまり“記憶”からの情報を、生物を含む他のシステムに転写することができる。
（５）水の再活性化によって、高波動状態にある水がその高い周波数を転写するか共有することが可能になり、低エネルギーで生命の損なわれていく情報との釣り合いをとるように機能する。
（６）アボガドロ数以上に希釈されて物質の物理的な痕跡が無くなった後においても、物質の波動の記憶を、水は保持可能である。
（７）水の質を、それが紫外線を吸収する量によっても評価可能である。質の“悪い”水はより多くのＵＶ光を吸収し、質の“良い”水はあまり吸収しない。
（８）水の最高の構造的なポテンシャルが最低の暖かさで測定されるのは、摂氏３７．５度または人間の通常の体温（華氏９８度）においてであり、これは、この温度の水が、多くの量の情報を獲得または共有する構造の最大点にあるということを示している。負または正の情報を最も多く獲得または共有する能力を水が有するのは、体温においてなのである。
【００１２】
従って、現在の科学研究によって、水を以下の三つの質の点から考察しなければならないということが示されている。即ち、分子クラスターのサイズ、分子クラスターの構造、共有結合における波動及び電磁波周波数のインプリントまたは“記憶”である。この三つの質が共存して、全ての生物及び非生物に対する水のホリスティック値が決められる。波動及び電磁波周波数のインプリントまたは記憶という第三の質は、従来技術および一般分野においては無視されてきた。
【００１３】
本発明者は、振動する音叉が弦を始動するように、高い波動または電磁波周波数エンコード水を用いて、直接接触することまたは近接することを介して、低周波数の波動または電磁波周波数エンコード水、更にはそれによって“再活性”低周波数インプリント水の波動または電磁波周波数を高めることができる。
【００１４】
現状では、マイクロクラスター液体／水は以下の方法の一つによって製造されている。
（１）水を沸騰させて磁場を通過させる蒸気を発生させ、蒸気を特定の波長の光に晒して、蒸気を凝縮して、安定メタシリケート塩を加えて、凝縮させた蒸気に栄養剤または薬剤を加えて、凝縮させた蒸気を一気圧超の圧力に晒して、凝縮させた蒸気を減圧する。（Ｌｏｒｅｎｚｅｎ、特許文献１及び特許文献３）
（２）液体の空洞現象によって、第一圧力下で空洞現象の気泡を生じさせて、その後、第二気圧へと減圧して、空洞現象の気泡の内破及び破裂を生じさせて、出発液体をマイクロクラスターへと再構造化させるのに十分な強さで、音響エネルギー衝撃波を発生させる。（Ｈｏｌｌｏｗａｙ、特許文献１）
（３）ボルテックス誘起体を介して液体を加圧して、その後減圧する。（Ｈｏｌｌｏｗａｙ、特許文献１）
（４）水を機械的にボルテックスして、活性化させて、ゼータポテンシャルを増大させて、結果としてマイクロクラスターに再構造化させる。
（５）超微視コロイドを有する高活性化マイクロクラスター濃縮液を低ミネラル含有の出発水つまり希釈水に加えて、出発水をマイクロクラスター水へと再構造化する。
（６）方法３または４と、方法５の組み合わせ。
【００１５】
現在特許になっているマイクロクラスター水、製造方法及びその関連技術の欠点として、出発水、処理中の水、製造後のマイクロクラスター水、ボトリングされたマイクロクラスター水、配送されたマイクロクラスター水内に如何なる波動または電磁波周波数がエンコードされているのかをモニタリングすることに関する完全な見落としが挙げられる。処理中の水クラスターの構造、及び／又は、物理的な添加物の取り込みに作用する特定の波動または電磁波周波数源を用いることを含む引例は存在するが（つまり、圧力を差別化すること、攪拌、遠心分離、フォトニック場またはレーザ場と磁場の印加等）、こうした周波数の記憶または水の共有結合内に意図的にエンコードされている他の波動または電磁波周波数源を含むものは、存在しない。
【００１６】
本発明者の知る限り、水の製造プロセス、配送、購入及び使用時に水にエンコードされている計画的なまた意図していない波動または電磁波周波数を、本発明のように能動的かつ予防的に対象としている旨を言及している従来技術及び商業的な製造プロセスは存在しない。
【００１７】
最後に、本発明のように、エンドユーザが液体を“再活性化する”手段を提供する従来技術は存在せず、本発明においては、使用前及び／または注がれる際に、液体を手動で攪拌してボルテックスすることを可能にする新規ボトルデザインによって、この手段が提供される。
【００１８】
【特許文献１】米国特許第５７１１９５０号明細書
【特許文献２】米国特許第６５２１２４８号明細書
【特許文献３】米国特許第６０３３６７８号明細書
【非特許文献１】Ａ．Ｌ．Ｌｅｈｎｉｎｇｅｒ、Ｂｉｏｃｈｅｍｉｓｔｒｙ、１９７５年、ｐ．４４
【発明の開示】
【発明が解決しようとする課題】
【００１９】
本発明の課題の一つは、機能的に“新しい活力を与える”、または、接触または近接することになる他の水や水ベースの物質の波動または電磁波周波数を高めるのに十分高い波動または電磁波周波数を有するエンコードマイクロクラスター水を提供することである。
【００２０】
また、本発明の課題の一つは、動植物の潜在的なエネルギーの流れに機能するようにエンコードされた特定の波動周波数、或る範囲の波動周波数、或る連続的な波動または電磁波周波数、または或る範囲の連続的な波動または電磁波周波数を有するエンコードマイクロクラスター水を提供することである。
【００２１】
本発明の更なる課題は、エンコードマイクロクラスター水の製造方法を提供することである。
【００２２】
本発明は、安全かつ有益な目的のために用いられることを目的としており、例えば、治療効果のあるナチュロパシー（自然療法）の調合剤、ホメオパシーの調合剤、有益な音と光の周波数、圧電結晶及び他の自然の元素の周波数を、経験目的、能率の向上及び治療目的でマイクロクラスター水にエンコードする。
【００２３】
しかしながら、当業者が見落としてはいけないことは、本発明を用いて、他の波動または電磁波周波数を、商業的に実行可能な目的のために使用されるマイクロクラスター液体内にエンコード可能であるということである。このような波動及び電磁波源に含まれるのは、毒や有毒な化学剤、生物学的有害物質、合金、セラミックである。商業的に実行可能な目的の例として、殺虫剤の有効性のために必要な化学剤を減少させること、化学製品をより希釈状態で有効にすることによって生体内分解を更に高速化すること、調合、成型または表面処理用の金属、セメント、セラミックを準備することが挙げられる。このような使用も、本発明の範囲内において考慮されている。
【００２４】
特定の波動及び電磁波周波数をエンコードするという特徴に焦点を合わせている点において、本発明は関連する従来技術とは異なる。
【００２５】
従って、本発明の課題の一つは、完全なる新規デザインによる、及び／又は、従来技術に対して明確で実質的な改善を示すことによる、及び／又は、一般的に用いられるマイクロクラスター液体の多様な方法及び装置と組み合わせて用いられまたその使用範囲を拡張することを意図した、エンコードマイクロクラスター液体と、その製造、ボトリング及び配送方法を提供することである。
【００２６】
本発明の他の課題は、コストの手頃さ、利便性、大衆による実施を可能にする所望の操作を維持したままで、従来の液体及びマイクロクラスター液体と、それらの製造、ボトリング及び配送方法に対して多数の利点を有し、容易に製造及び出荷可能なエンコードマイクロクラスター液体と、その製造、ボトリング及び配送方法を提供することである。
【００２７】
本発明の更なる課題は、賞賛に値する製造方法を構成すること、および、特に米国食品医薬品局（ＦＤＡ）の承認および医療グレードの製造において好まれる多様な物質から持続性があり信頼できるように構築することが可能な手動攪拌ボルテックス誘起ボトルのデザインを具体化することである。
【００２８】
本発明の更なる課題は、材料及び労働力の両方に関して許容可能なほど低製造コストであり、従って、消費者に対する売値が許容可能なほど低価格であり、消費者が経済的に入手できるエンコードマイクロクラスター液体と、その製造、ボトリング及び配送方法を提供することである。
【発明を実施するための最良の形態】
【００２９】
本発明の好ましい実施例の以下の説明は、本発明の範囲をこれらの好ましい実施例に限定することも意図したものではなく、むしろ、当業者が本発明を作成及び使用できるようにするものである。
【００３０】
本発明は、液体の出発物質からの波動及び電磁波エンコードマイクロクラスター液体の製造、ボトリング及び配送方法を提供する。
【００３１】
図１は、エンコードマイクロクラスター液体を製造するための基本段階を示す。まず、参照符号１０２において、出発液体が提供される。その後、参照符号１０４において、所望の表面張力及びゼータポテンシャルとなるまで、この液体を機械的にボルテックスする。次に、参照符号１０６において、波動及び電磁波源を用いて、液体をエンコードする。最後に、参照符号１０８において、液体をボトリングする。
【００３２】
下記で詳述するように、プロセス全体に亘って、液体は、意図していない波動及び電磁波源から遮断されている。ステップ１０４のボルテックス段階の前に、遮断具合を評価してもよい。例えば、製造施設において液体がボルテックスされる前に、施設を分析して、液体に影響し得る波動または電磁波源の存在を調べてもよい。この分析に基づいて、これらの源が液体に与え得る影響を増減する段階を取り入れてもよく、例えば、更なる遮断、装備の再配置、または、単に、これらの源の製造施設からの除去が挙げられる。
【００３３】
また、適切であればプロセス中の如何なる段階においても、所望の波動及び電磁波源を用いて液体をエンコード可能であることには留意されたい。例えば、ボトリングされた後に、液体がエンコードされてもよい。これによって、液体がボトリングされる前のエンコーディングが補足されるか、書き換えられる。
【００３４】
液体出発物質は、全溶存固形分が３０ｐｐｍ未満の蒸留水または他の低ミネラル／微粒子含有水であることが好ましい。任意ではあるが、所望の添加剤を追加してもよく、例えば、香料、ナチュロパシー（自然療法）の調合剤、ホメオパシーの調合剤、薬草、植物性薬品、エッセンシャルオイル、ビタミン、ミネラル、薬剤または他の化学剤が挙げられる。
【００３５】
液体出発物質を、機械的及び／又は手動で攪拌ボルテックスする処理に掛ける。機械的に及び手動でボルテックスすることに加えて、本分野において知られている他の方法でボルテックスしてもよい。
【００３６】
好ましい実施例では、図３に示すように、液体は、渦攪拌処理用容器内へとポンピングされる。処理用容器３００は、鉄筋コンクリート３０４で囲まれた強化ステンレス鋼処理容器３０２を備えてもよい。また、処理容器３００は、ベースにモータ３０６を備えてもよい。モータはドライブシャフト３１０を介して攪拌棒３０８に結合されている。動作時には、モータ３０６によって、攪拌棒３０８が回転する。この攪拌棒の動きによって、液体内に渦が生じ、その分子構造に影響を与え、また、その表面張力及びゼータポテンシャルにも影響を与える。
【００３７】
内部エンコード源用棚３１２は容器３００の内側に位置し、所望の波動及び電磁波エンコード源を、ボルテックス処理が行われている液体の近くに配置できるようになっている。容器の上部は容器蓋３１４によって覆われていてもよい。また、視界窓及び圧力孔３１６が、互いに異なる位置に配置されていてもよい。
【００３８】
６９ダイン以下の所望の表面張力及び所望のゼータポテンシャルが得られるまで、ボルテックスし続ける。所望の波動または電磁波周波数源が１７０．１９７５フィート以下の空間的な近さにあるように、実行されることが好ましい。所望の周波数源は、或る範囲の周波数、或る連続的な周波数、または或る範囲の連続的な周波数源を含むことが可能であり、例えば、ナチュロパシーの調合剤、ホメオパシーの調合剤、薬草、植物性薬品、エッセンシャルオイル、ビタミン、ミネラル、結晶、元素、元素の化合物が挙げられる。
【００３９】
この処理においては、所望の添加物を一次的または二次的に追加してもよく、例えば、香料、ナチュロパシーの調合剤、ホメオパシーの調合剤、薬草、植物性薬品、エッセンシャルオイル、ビタミン、ミネラル、薬剤または他の化学剤が挙げられる。
【００４０】
その後、図４に示すような手動攪拌ボルテックス誘起ボトルへと、エンコードマイクロクラスター液体をボトリングする。好ましい実施例においては、ボトル４００に、底４０４から１／２から１／３の高さのところに内径の減少部４０２がある。この内径の減少部４０２は、最大の内径を有する底の部分のサイズの１／３から１／２の直径を有する。この新規デザインによって、エンドユーザがボトル４００の手動攪拌を介して効率的にボトリングされた液体をボルテックスすることが可能になる。好ましい実施例においては、ユーザは一方向に二回ボトル４００を手動で回転させて、その後逆方向に一回回転させる。例えば、ユーザは使用前に、右に二回ボトルを回転させて、その後左に一回回転させる。
【００４１】
また、ボトル４００は、実際の注ぎ口４０８の直径の１／３から１／２の直径を有する注ぎ口の減少部４０６を有してもよい。ここでもまた、このデザインによって、エンドユーザがボトリングされた液体を効率的にボルテックスすることが可能になる。この場合、ユーザは、注ぎ口４０８から液体を注ぐだけでよい。注ぎ口の減少部４０６によって、液体は、注ぎ口４０８から出る時にボルテックスされる。
【００４２】
また、ボトルは、特定の波動または電磁波周波数エンコード源を含んでもよい。このエンコード源は、ボトル自体の一部であってもよいし、ボトルのラベルの物質としてふくまれてもよい。
【００４３】
上述のように、プロセス全体に亘って、液体は、意図していない波動または電磁波周波数から遮断されている。出発液体からボルテックス処理を介してエンドユーザに渡るまで、液体は、華氏３３度から華氏６９度の範囲外の極端な環境温度から遮断され、また、望ましくない波動または電磁波周波数から遮断されてもよい。このような望ましくない波動または電磁波周波数として、例えば、電気エンジン、燃焼エンジン、断片的な光スペクトル、極端な音響手段、コンピュータ、電話、ラジオ、ソナー等から放出されるものが挙げられる。
【００４４】
遮断は、多様な方法によって達成可能である。例えば、エンコードマイクロクラスター液体の製造を、電磁場が制御された施設で行うことができる。実際の遮断手段には、建築上の遮断手段が含まれ、例えば、施設の壁やドアにフレクトロン（Ｆｌｅｃｔｒｏｎ）やニューメタル（Ｎｕｍｅｔａｌ）の遮断物質を用いることが挙げられる。また、外部磁場を用いて、強力な周辺磁場が、製造、ボトリング及び貯蔵領域から弱い場を発散させることも、本発明の範囲内である。
【００４５】
電磁波防護ケース及び／又はボトル遮断用筒を、液体の貯蔵及び／又は配送時に用いてもよい。このようなケースや筒は、フレクトロンやニューメタルや他の電磁波遮断合金またはセラミックから成るものであってもよい。
【００４６】
また、ボルテックスする前後に、液体を冷凍することによって遮断することもできる。ユーザが計画的に液体を冷凍してもよい。例えば、冷凍庫内で実施してもよい。また、氷山等の中で液体を自然に冷凍してもよい。
【００４７】
図２は、エンコードマイクロクラスター液体の製造、ボトリング及び配送の実施例を示す。この例は、本発明の実際的な応用を示すものであって、本発明の範囲を限定するものではない。この場合、参照符号２０２において、氷山を採取して、船の貨物倉に置く。
【００４８】
参照符号２０４において、船は港に進路を向け、氷が解けて水になる。船がドックに入ると、水は、波動及び電磁場遮断輸送容器内にポンピングされる。
【００４９】
参照符号２０６において、水は、遮断された製造施設に輸送されて、水が遮断貯蔵容器内にポンピングされる。
【００５０】
参照符号２０８において、水は、渦攪拌処理用容器へとポンピングされる。処理用容器は、その円周まわりに等辺的に配置した所望の波動または電磁波エンコード源を有する。
【００５１】
参照符号２１０において、水は機械的にボルテックスされる。所望の表面張力及びゼータポテンシャルが得られるまで、ボルテックスされ続ける。
【００５２】
参照符号２１２において、処理及びエンコードされたマイクロクラスター水が、手動攪拌ボルテックス誘起ボトルへとボトリングされる。このボトルは、略華氏６９度未満で、遮断された貯蔵空間内部の遮断ケース内に貯蔵される。
【００５３】
参照符号２１４において、ボトルがベンダによってストックされるまでは、ボトリングされたエンコードマイクロクラスター水は、配送プロセスの間、遮断ケース内に保持される。
【００５４】
参照符号２１６において、ユーザがボトルを購入した後、ユーザは手動で、エンコードマイクロクラスター水を攪拌してボルテックスする。このようにする方法は、ボトルのラベルに書いてある。この例では、ユーズは、第一方向に二回、第一方向と反対の第二方向に一回、手動でボトルを攪拌することによって、水をボルテックスする。例えば、使用前に、ボトルを、右に二回、左に一回回転させる。
【００５５】
他の例では（図示せず）、液体出発物質は、手付かずの泉から湧き出た低ミネラル含有水から成ってもよい。水は、略５０００ガロンのステンレス鋼の貯蔵容器に蓄えられるが、水は逆浸透を介して、溶存固形分が略３ｐｐｍとなるようにフィルタリングされ、１８００ガロンのステンレス鋼の渦攪拌処理用の第二容器が一杯になるまで、この容器へとポンピングされる。
【００５６】
タンクの側面から略三インチの距離で処理用容器の円周まわりに等辺的に配置した一組のエンコード源を備えた上で、液体出発物質を機械的にボルテックスすることを始める。また、タンクの側面から略三インチの距離で処理用容器の円周まわりに等辺的に配置したもう一組のエンコード源も含み、第一組のエンコード源の間に中心があって等辺的になるように交互に置かれる。略６３ダイン以下の所望の表面張力及び−３３３ｍＶ以下の所望のゼータポテンシャルが得られるまで、ボルテックスされ続ける。その後、処理された水は、上述のような手動攪拌ボルテックス誘起ボトルにボトリングされる。
【００５７】
局所原子を分離して異なる結合角及び強度で原子を再形成するプラズマを形成する方法をＨｏｌｌｏｗａｙが教示しているように、空洞現象によって混入した気体の小さな気泡の破裂及び内破を介して、結合を切ることによって、マイクロクラスター構造を得ることは、多様な方法によって達成可能である。しかしながら、マイクロクラスター液体（例えば水）を手ごろなコストで製造するためには、空洞現象に効率的に晒すことが可能であり、プラズマ効果を形成して、例えば表面張力や熱密度やゼータポテンシャルなどの質の所望の値を得られる方法を用いて、製造しなければならない。これに加えて、真に有益な製品とするため、これらの所望の質を維持または簡単に復元させるようにして、市場または消費者の手に渡るようにしなければならない。従って、多くの有効的な製造方法は、コストに見合う分だけ効率的ではない。Ｈｏｌｌｏｗａｙ外の商業的に用いられる方法（彼らの技術を用いた現実世界の経験による最も効率的な方法であるとされる）は、水を処理するのに、実に十一時間もかかる。
【００５８】
従って、電磁場（ＥＭＦ）純度、汚染、遮断方法、エンコードを考慮することに加えて、本発明による従来技術の改善点には、水を処理してマイクロクラスター水を得ることが、高速度ボルテックス／逆ボルテックス処理によって、実質的により効率的な方法になっていることが挙げられる。ボルテックス／逆ボルテックス処理は、密閉されて空の鏡合わせのような遠心渦巻きを介して、順方向及び逆方向に水を加圧することによって誘起可能である。例えば、この処理において、加圧して、その後急速に減圧して右スピンの高速ボルテックスを誘起して、その後に、第二加圧して、急速に減圧して左スピンの高速ボルテックスを誘起して、その後にタンクに螺旋状に戻して、システムを再循環させることを備えてもよく、負の電荷を運ぶナノコロイドシリカ粒子を含有させてもよい。また、この処理は、構造の完全性を維持する手段を含んでもよく、これには、ナノコロイド粒子（マイクロクラスター化の高速化と、安定性及び復元性の増強という二つの目的）、加圧、手動ボルテックス（空洞現象）誘起ボトルの使用が含まれる。
【００５９】
従って、本発明は、ナノコロイド粒子を液体に加えることを含んでもよく、所望のエンコード源のみを備えたボルテックス／逆ボルテックス処理の際、及び／又は、パッケージングの際に加えられる。また、パッケージングの際には、遮断手段及び手動ボルテックスすることが含まれてもよい。
【００６０】
Ｈｏｌｌｏｗａｙによると、空洞現象によって生成された音響エネルギーは、大きなアレイ中の五つのＨ２Ｏ分子から成る単一の四面体マイクロクラスターを互いに保持する静電結合を切り、それによって、サイズを小さくし、及び／又は、水の中に局所プラズマを生成して異なる構造の水の通常の結合角を再構成する。
【００６１】
本発明の発明者は、一様性が高く高ｐＨのナノコロイドシリカ粒子ゾルを少量（例えば、略１．２５ｍｌ／ガロン）加えて、ポンプによってタンクの外に水を加圧して、高速ボルテックスを誘起する順方向の鏡合わせのような遠心性のポンプの渦巻きを介して水に後ろ向きの力を加えて、その後直ちに高速の逆ボルテックスを誘起して、タンク内へ螺旋状に戻すことを、連続的なサイクル中に鋭角とせずに行うことの顕著な利点を発見した。結果として、所望のマイクロクラスター液体の質を得るために必要とされる時間及びエネルギー量が、ナノシリカゾルを用いず戻り管において鋭角を用いる他の方法よりも劇的に減少可能である。
【００６２】
本発明の発明者は、ナノコロイドシリカ粒子を含有させることによって、全溶存固形分が非常に低いままで高い電荷輸送表面積が維持されて、結果として、液体のマイクロクラスター状態の安定性及び持続性が高まり、後生成の空洞現象によって、所望の表面張力及びゼータポテンシャルの質を改善するのに必要とされるエネルギーが低くなることを発見した。この理由は、粒子表面に輸送させる電荷または粒子表面上に予め存在していた負の電荷によって供給される電荷が増加するにつれて、電荷輸送ナノ粒子で処理されていない純水の場合のような再構成“水プラズマ”状態の場合よりも、水素結合が切れることによって放出される負の電荷が、より長く水の構造に作用するからである。これに加えて、粒子のサイズがより一様になると、粒子の電荷がより一様になり、マイクロクラスター液体状態生成後のコロイドシステムの広範な反発性の持続性が増強する。
【００６３】
一様なナノコロイド粒子ゾルは、以下のプロセスを用いて、作成されてもよい。電気化学反応を用いて、超純水に加えられる多様な粒子サイズの乾燥シリカ粒子を分散させて、ゾルを生成する。コロイドシリカゾルは、シリカ粒子が負に帯電して互いに反発しあうことによって、更に大きな粒子サイズへと集まらずに、安定化される。これを達成するために、少量のアルカリ（水酸化イオン）を加えて、シリカ表面と反応させて、負の電荷を生成する。
【００６４】
水酸化イオンは、二つの重要な効果を有する。第一に、水酸化イオンは、表面のシラノール基と反応して、負の表面電荷を生成し、これによって、粒子が互いに反発する。これによって、凝集体やゲルの形成が抑制される。第二に、水酸化イオンは、シロキサン架橋やゲルの形成に直接触媒作用を及ぼす。従って、高ｐＨにおいては、コロイドシリカ粒子は、粒子の電荷が高いので、安定である。
【００６５】
ｐＨが低下すると、電荷は減少するが、架橋に触媒作用を及ぼすのに十分な水酸化イオンは残っていて、希釈過多になるまでは、安定性が維持される。
【００６６】
界面活性剤を、配合物含有コロイドシリカに加えて、湿性を改善することが可能である。この目的のため、ナノコロイドゾルは、オレイン酸カリウムを極微量含んでもよい。他のイオンが存在してもよく、例えばＣａ、Ｋ、Ｍｇが挙げられる。一般的に、使用前に高ｐＨで安定化された１０ｎｍ範囲の粒子を有するナノコロイドシリカゾルが用いられ、粒子が予め負の電荷を有するようにして、その後、希釈される。
【００６７】
上述のように、機械的に及び手動でボルテックスすることに加えて、本分野において知られている他の方法でボルテックスしてもよい。
【００６８】
当業者であれば、特許請求の範囲により定められる本発明の範囲から逸脱せずに、本発明の好ましい実施例に対して修正および変更が可能であるということは理解されたい。
【００６９】
このような修正には、同様のエンコード処理を含むマイクロクラスター液体の製造方法の変形例が含まれる。他の変形例としては、製造環境の制御、ボトルのデザイン、配送の間に組み込まれる電磁場保護手段を変更させるものが考えられる。
【図面の簡単な説明】
【００７０】
【図１】エンコードマイクロクラスター液体の製造の好ましい実施例のフローチャートである。
【図２】エンコードマイクロクラスター液体の製造、ボトリング及び配送方法の実施例のフローチャートである。
【図３】渦処理容器の好ましい実施例の正射影の断面図である。
【図４】手動攪拌ボルテックス誘起ボトルの好ましい実施例の正射影の断面図である。
【符号の説明】
【００７１】
３００  処理用容器
３０２  強化ステンレス鋼処理容器
３０４  鉄筋コンクリート
３０６  モータ
３０８  攪拌棒
３１０  ドライブシャフト
３１２  棚
３１４  蓋
４００  ボトル
４０２  内径の減少部
４０４  底
４０６  注ぎ口の減少部
４０８注ぎ口
【図１】
2008519689.tif 000003
【図２】
2008519689.tif 000004
【図３】
2008519689.tif 000005
【図４】
2008519689.tif 000006
【国際調査報告】
2008519689.tif 000007
2008519689.tif 000008
2008519689.tif 000009